(57)【要約】【課題】通信履歴の蓄積を抑制する画像形成装置を提供する。【解決手段】  画像形成装置１は、受信した通信を他装置へ転送可能である。通信判断部１００は、通信を受信した際、通信の通信元からの受信回数が閾値以上であり、更に設定された条件に対応している場合、通信を転送すると判断する。通信転送部１１０は、通信判断部１００により通信を転送すると判断された場合、通信を転送する。受信記録部１２０は、通信転送部１１０により通信が転送されなかった場合、通信を受信して通信記録を記録し、受信回数を増加させる。【選択図】図３
2020031273.tif 000002
【特許請求の範囲】
【請求項１】
受信した通信を他装置へ転送可能な画像形成装置であって、
前記通信を受信した際、前記通信の通信元からの受信回数が閾値以上であり、更に設定された条件に対応している場合、前記通信を転送すると判断する通信判断部と、
前記通信判断部により前記通信を転送すると判断された場合、通信記録を記録しないで前記通信を転送する通信転送部と、
前記通信転送部により前記通信が転送されなかった場合、前記通信を受信して前記受信回数を増加させる受信記録部とを備える
ことを特徴とする画像形成装置。
【請求項２】
前記通信判断部は、
前記条件として、トナーが正規品でなく転送先が指定されている場合、自装置の故障の場合、及び／又は、前記通信を受信する記憶部の記憶容量が特定容量以下の場合、前記他装置へ転送するよう判断する
ことを特徴とする請求項１に記載の画像形成装置。
【請求項３】
前記通信は、ＩＰ−ＦＡＸであり、
前記通信転送部は、
前記ＩＰ−ＦＡＸによる画像データを受信した後の転送ではなく、受信のセッションの確立時に中継する転送により、前記通信記録を記録しないようにする
ことを特徴とする請求項１又は２に記載の画像形成装置。
【請求項４】
受信した通信を他装置へ転送可能な画像形成装置により実行される受信転送方法であって、前記画像形成装置は、
前記通信を受信した際、前記通信の通信元からの受信回数が閾値以上であり、更に設定された条件に対応している場合、前記通信を転送すると判断し、
前記通信を転送すると判断された場合、通信記録を記録しないで前記通信を転送し、
前記通信が転送されなかった場合、前記通信を受信して前記受信回数を増加させる
ことを特徴とする受信転送方法。
【発明の詳細な説明】
【技術分野】
【０００１】
本発明は、画像形成装置及び受信転送方法に係り、特にインターネットファクシミリ（ＩＰ−ＦＡＸ）送受信等の通信が可能な画像形成装置及び受信転送方法に関する。
【背景技術】
【０００２】
従来から、文書や画像を印刷可能な複合機（Multifunctional Peripheral, MFP）等の画像形成装置が存在する。
これらの画像形成装置では、音声回線を介したファクシミリ（以下、単に「ＦＡＸ」という。）、インターネットファクシミリ（Internet Protocol Facsimile。以下、「ＩＰ−ＦＡＸ」という。）等の通信を行うことが可能なものが存在する。
【０００３】
一方、特許文献１には、着信に関する履歴情報を記録し、ユーザーに知らせることができる通信装置が記載されている。特許文献１の装置は、着信した際に保持される通信履歴が最大数になったら、発信電話番号表示サービス（「ナンバーディスプレイ」、「Caller ID」）等の発呼側装置情報が非通知のものから優先的に削除する。
【先行技術文献】
【特許文献】
【０００４】
【特許文献１】特開２００９−８１８１４号公報
【発明の概要】
【発明が解決しようとする課題】
【０００５】
しかしながら、特許文献１の装置のように単に通信履歴を記録する技術の場合、通信で受信した画像データがＩＰ−ＦＡＸ等により他装置へ転送される際に、受信時及び送信時の通信履歴が常に記録されていた。
このため、転送の頻度が高いと、残っていてほしい通信履歴が削除されてしまっていた。
【０００６】
本発明は、このような状況に鑑みてなされたものであって、上述の問題点を解消する画像形成装置を提供することを課題とする。
【課題を解決するための手段】
【０００７】
本発明の画像形成装置は、受信した通信を他装置へ転送可能な画像形成装置であって、前記通信を受信した際、前記通信の通信元からの受信回数が閾値以上であり、更に設定された条件に対応している場合、前記通信を転送すると判断する通信判断部と、前記通信判断部により前記通信を転送すると判断された場合、通信履歴を記録しないで前記通信を転送する通信転送部と、前記通信転送部により前記通信が転送されなかった場合、前記通信を受信して前記受信回数を増加させる受信記録部とを備えることを特徴とする。
本発明の画像形成装置は、前記通信判断部は、前記条件として、トナーが正規品でなく転送先が指定されている場合、自装置の故障の場合、及び／又は、前記通信を受信する記憶部の記憶容量が特定容量以下の場合、前記他装置へ転送するよう判断することを特徴とする。
本発明の画像形成装置は、前記通信は、ＩＰ−ＦＡＸであり、前記通信転送部は、前記ＩＰ−ＦＡＸによる画像データを受信した後の転送ではなく、受信のセッションの確立時に中継する転送により、前記通信履歴を記録しないようにすることを特徴とする。
本発明の受信転送方法は、受信した通信を他装置へ転送可能な画像形成装置により実行される受信転送方法であって、前記画像形成装置は、前記通信を受信した際、前記通信の通信元からの受信回数が閾値以上であり、更に設定された条件に対応している場合、前記通信を転送すると判断し、前記通信を転送すると判断された場合、通信履歴を記録しないで前記通信を転送し、前記通信が転送されなかった場合、前記通信を受信して前記受信回数を増加させることを特徴とする。
【発明の効果】
【０００８】
本発明によれば、通信元からの受信回数が閾値以上であり、更に設定された条件に対応している場合に、通信履歴を記録しないで他装置へ転送することで、転送の頻度が多い場合でも、通信履歴が削除されにくい画像形成装置を提供することができる。
【図面の簡単な説明】
【０００９】
【図１】本発明の実施の形態に係る画像形成装置のシステム構成図である。
【図２】図１に示す画像形成装置の制御構成を示すブロック図である。
【図３】本発明の実施の形態に係る画像形成装置の機能構成を示すブロック図である。
【図４】図３に示す転送条件設定を設定する際の概念図である。
【図５】本発明の実施の形態に係る受信転送処理のフローチャートである。
【図６】図５に示すセッション確認処理及び通信受信処理のシーケンスを示す図である。
【図７】図５に示す転送処理のシーケンスを示す図である。
【発明を実施するための形態】
【００１０】
＜実施の形態＞
〔画像形成システムＸのシステム構成〕
まず、図１により、本発明の実施の形態に係る画像形成システムＸのシステム構成について説明する。
画像形成システムＸは、ネットワーク５を介して、送信側の画像形成装置２及びサーバー４ｂと接続されている。画像形成システムＸでは、ネットワーク５と接続されるルーター（Router）やゲートウェイ（Gateway）等であるルーターＲ等を介したネットワークが構成されている。このネットワークに、受信側の画像形成装置１、複数の画像形成装置３（他装置）、及びサーバー４ａが接続されている。
本実施形態において、送信側の画像形成装置２と受信側の画像形成装置１との間で、通信として、ネットワーク５を介したＩＰ−ＦＡＸの通信等が可能である。この上で、画像形成装置１は、他装置の画像形成装置３へ、画像形成装置２から受信した通信を、ＩＰ−ＦＡＸ等で転送することが可能である。
【００１１】
具体的に説明すると、画像形成装置１、２、３は、ＭＦＰ、ネットワークスキャナー、ドキュメントスキャナー、ネットワークＦＡＸ、スキャナー機能付きのプリンター、単機能プリンター等のドキュメント機器である。
【００１２】
画像形成装置１、２、３は、印刷、複写（コピー）、スキャンによる電子文書化、ネットワークスキャン、ファクシミリ送受信、ネットワークファクシミリ送受信、電子文書を格納する文書ボックス等の各種の機能を備えていてもよい。また、各機能については、白黒、単色カラー、フルカラー等の設定が可能であってもよい。
また、画像形成装置１、２、３は、印刷機能を有するＭＦＰやプリンター等の場合、感光体ドラム、露光部、現像部、転写部、及び定着部等を備えている。これにより、画像形成装置２は、帯電、露光、現像、転写、定着からなる画像形成プロセスを実行することで、記録紙にトナー像を記録し、印刷することが可能である。
【００１３】
サーバー４ａ、４ｂは、ＰＣ（Personal Computer）や汎用機等の情報処理装置である。本実施形態において、サーバー４ａ、４ｂは、ＳＩＰ（Session Initiation Protocol）サーバーを含んでいる。
加えて、サーバー４ａ、４ｂは、課金、保守、サービス対応等を行うサーバーであってもよい。また、サーバー４ａ、４ｂは、画像処理、ＯＣＲ（Optical Character Recognition）処理、分類処理、及び、電子メールや共有フォルダー（文書ボックス、保存フォルダー）や業務若しくは事務用のＤＭＳ（Document Management System）等への送信処理を実行してもよい。
【００１４】
ネットワーク５は、ＬＡＮ（Local Area Network）等のイントラネット（Intranet）、インターネットや携帯電話網等のＷＡＮ（Wide Area Network）等のネットワークである。
画像形成装置２は、ハブやルーター等を介して、ネットワーク５に接続されていてもよい。また、ネットワーク５は、ＶＰＮ（Virtual Private Network）を構成していてもよい。
【００１５】
〔画像形成装置１の制御構成〕
次に、図２を参照して、図１に示す画像形成装置１、２、３のうち画像形成装置１を代表として、制御構成について説明する。
画像形成装置１は、画像処理部１１、原稿読取部１２、原稿給送部１３、給紙部１４、ネットワーク送受信部１５、操作パネル部１６、画像形成部１７（画像形成手段）、ＦＡＸ送受信部１８、及び記憶部１９等を含む。各部は、制御部１０に接続され、制御部１０によって動作制御される。
【００１６】
制御部１０は、ＧＰＰ（General Purpose Processor）、ＣＰＵ（Central Processing Unit、中央処理装置）、ＭＰＵ（Micro Processing Unit）、ＤＳＰ（Digital Signal Processor）、ＧＰＵ（Graphics Processing Unit）、ＡＳＩＣ（Application Specific Processor、特定用途向けプロセッサー）等の情報処理部である。
制御部１０は、記憶部１９のＲＯＭやＨＤＤに記憶されている制御プログラムを読み出して、この制御プログラムをＲＡＭに展開させて実行することで、後述する機能ブロックの各部として動作させられる。また、制御部１０は、図示しない外部の端末や操作パネル部１６から入力された所定の指示情報に応じて、装置全体の制御を行う。
【００１７】
画像処理部１１は、ＤＳＰ（Digital Signal Processor）やＧＰＵ（Graphics Processing Unit）等の制御演算手段である。画像処理部１１は、画像データに対して所定の画像処理を行う。この所定の画像処理は、例えば、拡大縮小、濃度調整、階調調整、画像改善等の処理であってもよい。
また、画像処理部１１は、原稿読取部１２で読み取られた画像を、記憶部１９に印刷データとして記憶する。この際、画像処理部１１は、印刷データを、ＰＤＦ等の電子文書やＴＩＦＦ等の画像データのファイルに変換することも可能である。また、画像処理部１１は、ＯＣＲ（Optical Character Recognition）の少なくとも一部の処理を実行可能であってもよい。
【００１８】
原稿読取部１２は、セットされた原稿を読み取る。また、原稿読取部１２は、画像形成装置１の本体部の上部に配設される。
原稿読取部１２は、スキャナーと、プラテンガラスと、原稿読取スリットとを備えている。原稿読取部１２は、プラテンガラスに載置された原稿を読み取る場合には、スキャナーをプラテンガラスに対向する位置に移動させ、プラテンガラスに載置された原稿を走査しながら読み取って画像データを取得し、取得した画像データを制御部１０に出力する。
【００１９】
また、原稿読取部１２は、原稿給送部１３から給送された原稿を読み取る場合には、スキャナーを、原稿読取スリットと対向する位置に移動させる。そして、原稿読取部１２は、原稿読取スリットを介し、原稿給送部１３による原稿の搬送動作と同期して原稿を読み取って、画像データを取得する。原稿読取部１２は、取得した画像データを、制御部１０に出力する。
【００２０】
原稿給送部１３は、原稿読取部１２で読み取られる原稿を搬送する。原稿給送部１３は、原稿読取部１２の上部に配設されている。
原稿給送部１３は、原稿載置部と、原稿搬送機構とを備えている。原稿給送部１３は、原稿載置部に載置された原稿を、原稿搬送機構によって１枚ずつ順に繰り出して、原稿読取部１２に給送する。
【００２１】
給紙部１４は、記録紙を１枚ずつ画像形成部１７に向けて繰り出す。給紙部１４は、本体部に備えられている。
【００２２】
ネットワーク送受信部１５は、ＬＡＮ、無線ＬＡＮ、ＷＡＮ、携帯電話網等の外部ネットワークに接続するためのＬＡＮボードや無線送受信機等を含むネットワーク接続部である。
ネットワーク送受信部１５は、データ通信用の回線ではデータを送受信し、音声電話回線では音声信号を送受信する。
【００２３】
操作パネル部１６は、ボタンやタッチパネル等の入力部と、ＬＣＤ(Liquid Crystal Display)や有機ＥＬディスプレイ等の表示部とを備えている。また、操作パネル部１６は、画像形成装置１のフロント側に配設されている。
操作パネル部１６の入力部のボタンは、テンキー、スタート、キャンセル、動作モードの切り換え、ジョブの実行に係る指示を行うボタン等である。この動作モードは、複写、ＦＡＸ送信（ＩＰ−ＦＡＸ送信）、スキャナー、ネットワークスキャナー等の種類のモードを備えていてもよい。また、ジョブは、選択された文書の印刷、送信、保存、及び記録等の種類のものを含んでいる。操作パネル部１６の入力部は、ユーザーによる画像形成装置１の各種ジョブの指示を取得する。また、操作パネル部１６から取得したユーザーの指示により、各ユーザーの情報を入力、変更することも可能である。
【００２４】
画像形成部１７は、ユーザーの出力指示により、記憶部１９に記憶され、原稿読取部１２で読み取られ、又は外部の端末から取得されたデータから記録紙への画像形成を行わせる。
画像形成部１７は、感光体ドラム、露光部、現像部、転写部、及び定着部等を備えている。画像形成部１７は、帯電、露光、現像、転写、定着からなる画像形成プロセスを実行することで記録紙にトナー像を記録する。
【００２５】
ＦＡＸ送受信部１８は、ＦＡＸの送受信を行う。ＦＡＸ送受信部１８は、音声回線により、他のＦＡＸ装置（図示せず）からファクシミリ受信（ＦＡＸ受信）して、記憶部１９に保存し、画像形成部１７で画像形成させることが可能である。また、ＦＡＸ送受信部１８は、原稿読取部１２で読み取られた原稿や外部の端末から送信されたネットワークＦＡＸのデータを画像データに変換して、他のＦＡＸ装置へ音声回線でファクシミリ送信（ＦＡＸ送信）することが可能である。
【００２６】
さらに、本実施形態において、ＦＡＸ送受信部１８は、ネットワーク送受信部１５を介して、電話やＩＰ−ＦＡＸの通信の送受信が可能である。このＩＰ−ＦＡＸにおいては、ＦＡＸ受信した画像データを、ＳＩＰやＨ．３２３等のプロトコルを用いて、他の画像形成装置１に送信（転送）して、画像形成させる。さらに、他の画像形成装置１からＩＰ−ＦＡＸを用いて転送された画像データを、画像形成部１７で画像形成したり、他のＦＡＸ装置へネットワーク経由で更にＩＰ−ＦＡＸ送信したりすることが可能である。
【００２７】
記憶部１９は、ＲＯＭ（Read Only Memory）、ＲＡＭ（Random Access Memory）等の半導体メモリーやＨＤＤ（Hard Disk Drive）等の一時的でない記録媒体である。
記憶部１９のＲＡＭは、省電力状態であっても、セルフリフレッシュ等の機能により、記憶内容が保持される。
記憶部１９のＲＯＭやＨＤＤには画像形成装置１の動作制御を行うための制御プログラムが記憶されている。これに加えて、記憶部１９は、ユーザーのアカウント設定も記憶している。また、記憶部１９には、ユーザー毎の保存フォルダー（文書ボックス）の領域が含まれていてもよい。
【００２８】
なお、画像形成装置１において、制御部１０及び画像処理部１１は、ＧＰＵ内蔵ＣＰＵ、チップ・オン・モジュールパッケージ、ＳＯＣ（System On a Chip）等のように、一体的に形成されていてもよい。
また、制御部１０及び画像処理部１１は、ＲＡＭやＲＯＭやフラッシュメモリー等を内蔵していてもよい。
【００２９】
〔画像形成装置１の機能構成〕
ここで、図３及び図４を参照して、本発明の実施の形態に係る画像形成システムＸの画像形成装置１の機能構成について説明する。
画像形成装置１の制御部１０は、通信判断部１００、通信転送部１１０、及び受信記録部１２０を備えている。
記憶部１９は、転送条件設定２００及び通信履歴２１０を格納している。
【００３０】
通信判断部１００は、ＩＰ−ＦＡＸによる通信を受信した際、通信の通信元からの受信回数が閾値以上であり、更に転送条件設定２００に対応している場合、通信を転送すると判断する。通信判断部１００は、例えば、トナーが正規品でなく転送先が指定されている場合、画像形成装置１の故障の場合、及び／又は、通信を受信する記憶部の記憶容量が特定容量以下の場合、他装置である画像形成装置３のいずれかへ転送するよう判断する。
【００３１】
通信転送部１１０は、通信判断部１００により通信を転送すると判断された場合、通信を転送する。この転送は、例えば、ＳＩＰプロトコルを用いて行う。具体的には、本実施形態においては、通信転送部１１０は、ＩＰ−ＦＡＸによる画像データを受信した後の転送ではなく、受信のセッションの確立時に中継する転送により、通信履歴２１０を記録しないようにする。
【００３２】
受信記録部１２０は、通信転送部１１０により通信が転送されなかった場合、転送元の画像形成装置２からの通信を受信する。すなわち、受信記録部１２０は、ＩＰ−ＦＡＸによる画像データを受信し、記憶部１９に格納する。この際、受信記録部１２０は、受信について、通信履歴２１０に履歴を記録する。さらに、受信記録部１２０は、通信条件設定に含まれる、画像形成装置２からの通信の受信回数を増加させる。
【００３３】
転送条件設定２００は、通信判断部１００により転送すべきと判断するために参照される条件の設定情報である。具体的には、転送条件設定２００は、トナーが正規品でなく転送先の他装置である画像形成装置３が指定されている場合、画像形成装置１が故障の場合、及び／又は、通信を受信する記憶部１９の記憶容量が特定容量以下である等の条件を設定可能である。このうち、故障については、故障の種類を設定可能である。たとえば、特定のユニットの故障の場合について、転送するように設定可能である。特定容量については、ＩＰ−ＦＡＸ受信における必要な画像データの一時的な記憶容量を基に算出可能である。
さらに、転送条件設定２００は、転送させる際の受信回数の閾値が含まれている。この閾値は、予め設定された固定値でも、ユーザーにより設定可能であってもよい。閾値を設定可能な場合、初期値は三以下の値であることが好適である。さらに、本実施形態においては、送信元毎、通信の種類毎に閾値が設定されている。
【００３４】
図４の画面例３００は、転送条件設定２００を設定する際の一例である。ここでは、操作パネル部１６にて、非純正トナーが装着された場合に、転送をしたい送信元を設定する例を示している。この例では、アドレス帳に登録されている宛先すべてを対象にしたり、特定の送信元の画像形成装置２を指定したりすることが可能である。また、送信元の指定以外にも、転送先の画像形成装置３の設定も可能である。この転送先の設定では、ユーザーが直接入力して指定することが可能である。また、画像形成システムＸに接続されている画像形成装置３の情報を取得し、正規品のトナーが装着されている画像形成装置３を自動設定してもよい。この際、同一の製造元や会社内の画像形成装置３に限定して自動設定することも可能である。なお、この例では転送先は一つのみであるように示しているものの、各送信元に対して、転送先を設定してもよい。
【００３５】
通信履歴２１０は、取得した通信の履歴（ログ）を示す情報である。たとえば、通信履歴２１０は、時刻、通信の種類、送信元、転送先（他装置）等を示す情報が履歴として記録される。このうち、通信の種類は、ネットワーク５経由の電話、ＩＰ−ＦＡＸ受信、ＩＰ−ＦＡＸ送信、ＩＰ−ＦＡＸによる転送（ＩＰ−ＦＡＸ転送）等の種類を含む。ここで、本実施形態においては、ＩＰ−ＦＡＸ受信においては、着呼した段階では、まだＦＡＸか電話かが判明しない。このため、ＦＡＸと確定するまでは、通信履歴２１０として記録されない。加えて、通信履歴２１０の履歴は、特定数だけが保持され、古いものから順に削除される。
さらに、本実施形態において、通信履歴２１０は、例えば、送信元毎、通信の種類毎に、受信回数も記録している。
【００３６】
ここで、画像形成装置１の制御部１０は、記憶部１９に記憶された制御プログラムを実行することで、通信判断部１００、通信転送部１１０、及び受信記録部１２０として機能させられる。
また、上述の画像形成装置１の各部は、本発明の画像形成方法を実行するハードウェア資源となる。
なお、上述の機能構成の一部又は任意の組み合わせをＩＣやプログラマブルロジックやＦＰＧＡ（Field-Programmable Gate Array）等でハードウェア的に構成してもよい。
【００３７】
〔画像形成システムＸによる受信転送処理〕
次に、図５〜図７を参照して、本発明の実施の形態に係る画像形成システムＸの画像形成装置１により実行される受信転送処理について説明する。
本実施形態の受信転送処理では、通信を受信した際、通信の通信元からの受信回数が閾値以上であり、更に設定された条件に対応している場合、通信を転送すると判断する。そして、通信を転送すると判断された場合、通信履歴２１０に履歴を記録しないで通信を転送する。逆に、通信が転送されなかった場合、通信を受信して受信回数を増加させる。本実施形態では、ＳＩＰプロトコルによりこの通信及び転送を行う例について説明する。
本実施形態の受信転送処理は、主に制御部１０が、記憶部１９に記憶されたプログラムを、各部と協働し、ハードウェア資源を用いて実行する。
以下で、図５のフローチャートを参照して、本実施形態の受信転送処理の詳細をステップ毎に説明する。このフローチャートは、主に、受信側の画像形成装置１の処理を基に示している。
【００３８】
（ステップＳ１０１）
まず、通信判断部１００が、セッション確立処理を行う。
通信判断部１００は、送信側の画像形成装置２と受信側の画像形成装置１とが通信をした場合、音声回線での着呼（セッションの確立）、又はＳＩＰプロトコルのセッションを確立する。
図６は、ＳＩＰプロトコルのＩＰ−ＦＡＸ受信の例を示す。この図の「ＩＮＶＩＴＥ」から「ＡＣＫ」までは、ＳＩＰプロトコルにて、送受信間でセッションが確立される例を示している。
【００３９】
（ステップＳ１０２）
次に、通信判断部１００が、他装置へ転送される条件に対応しているか否かを判定する。具体的には、通信判断部１００は、転送条件設定２００を参照し、設定された条件に対応しているか否かを判断する。通信判断部１００は、この判断に対応している場合に、Ｙｅｓと判定する。通信判断部１００は、判断に対応していない場合には、Ｎｏと判定する。
Ｙｅｓの場合、通信判断部１００は、処理をステップＳ１０３に進める。
Ｎｏの場合、通信判断部１００は、処理をステップＳ１０６に進める
【００４０】
（ステップＳ１０３）
他装置へ転送される条件に対応している場合、通信判断部１００が、受信回数確認処理を行う。
通信判断部１００は、通信履歴２１０を参照して、送信側の画像形成装置２との間における通信の種類別の受信回数を確認する。
【００４１】
（ステップＳ１０４）
次に、通信判断部１００が、受信回数が閾値以上であるか否かを判定する。本実施形態においては、通信判断部１００は、転送条件設定２００を参照し、受信回数が、送信側の画像形成装置２における通信の種類別の閾値以上であった場合に、通信を転送する判断を行い、Ｙｅｓと判定する。通信判断部１００は、それ以外の場合には、Ｎｏと判定する。
Ｙｅｓの場合、通信判断部１００は、処理をステップＳ１０５に進める。
Ｎｏの場合、通信判断部１００は、処理をステップＳ１０６に進める。
【００４２】
（ステップＳ１０５）
受信回数が閾値以上の場合、通信転送部１１０が、転送処理を行う。
通信転送部１１０は、受信したＩＰ−ＦＡＸによる通信を、ＩＰ−ＦＡＸにて転送する。
図７に、ＳＩＰプロトコルにおける通話の保留転送を利用した転送の例を示す。
通信転送部１１０は、送信側の画像形成装置２と、転送先の他装置である画像形成装置３との間で、直接、ＩＰ−ＦＡＸ通信をするよう中継する。なお、通信転送部１１０は、この転送先として、転送条件設定２００にて設定されているものを指定する。
【００４３】
このように、ＩＰ−ＦＡＸ受信において、着呼した段階では、通信の種類がＦＡＸか電話か判別しないので、ＦＡＸ受信と確定するまでは、通信履歴２１０が記録されない。すなわち、保留転送を使用した場合は、ＦＡＸ通信が確定する前に、呼の切り替えが行われるので、受信側の画像形成装置１には、通信履歴２１０が記録されなくなる。このため、特定の送信元からの通信において、セッションの確立時に中継する転送により、通信履歴２１０が記録されないようにすることが可能となる。よって、通信履歴２１０が溜まり続けることがなくなる。
その後、通信転送部１１０は、処理をステップＳ１０８に進める。
【００４４】
（ステップＳ１０６）
ここで、通信転送部１１０により通信が転送されなかった場合、受信記録部１２０が、通信受信処理を行う。
受信記録部１２０は、例えば、セッションが確立できれば、送信側の画像形成装置２とＩＰ−ＦＡＸ通信の受信を行う。
すなわち、本実施形態においては、上述の条件として、例えば、正規品でないトナーコンテナが装着されている場合でも、送信元が登録されているものでない、受信回数が閾値以上でない等の場合は、通常通り、ＩＰ−ＦＡＸ受信を行う。
図６の例では、「ＦＡＸ通信」のシーケンスにて、実際のＩＰ−ＦＡＸ受信を行う。
【００４５】
（ステップＳ１０７）
次に、受信記録部１２０が、受信回数増加処理を行う。
受信記録部１２０は、送信元が転送条件設定２００に設定されているものであれば、通信履歴２１０の受信回数を増加（インクリメント）させる。
【００４６】
（ステップＳ１０８）
ここで、受信記録部１２０が、セッション切断処理を行う。
受信記録部１２０は、ＩＰ−ＦＡＸ通信を終了する。
ＩＰ−ＦＡＸの場合、図６、図７の「Ｂｙｅ」以降のシーケンスに従い、通信を終了させる。これは通常のＩＰ−ＦＡＸの通信と同様である。
以上により、本発明の実施の形態に係る受信転送処理を終了する。
【００４７】
以上のように構成することで、以下のような効果を得ることができる。
従来、単に通信履歴を記録する技術では、通信の受信時及び送信時の通信履歴が常に記録されていた。このため、転送の頻度が上がると、転送のたびに通信履歴が溜まり続け、本来、残しておいてほしい履歴が先に削除されてしまっていた。
これに対して、本発明の実施の形態に係る画像形成装置１は、受信した通信を他装置へ転送可能な受信側の画像形成装置であって、通信を受信した際、通信の通信元からの受信回数が閾値以上であり、更に設定された条件に対応している場合、通信を転送すると判断する通信判断部１００と、通信判断部１００により通信を転送すると判断された場合、通信を転送する通信転送部１１０と、通信転送部１１０により通信が転送されなかった場合、通信を受信して通信履歴２１０に履歴を記録し、受信回数を増加させる受信記録部１２０とを備えることを特徴とする。
このように構成することで、転送の頻度が多い場合でも、通信履歴２１０の蓄積を抑制し、通信履歴２１０の履歴を削除されにくくすることができる。これにより、残しておいて欲しい履歴を確認しやすくなる。
【００４８】
また、本発明の実施の形態に係る画像形成装置１は、通信判断部１００は、条件として、トナーが正規品でなく転送先が指定されている場合、自装置の故障の場合、及び／又は、通信を受信する記憶部の記憶容量が特定容量以下の場合、他装置へ転送するよう判断することを特徴とする。
このように構成することで、各種の条件に対応して、他装置に転送するか否かを判断可能となる。たとえば、通信履歴２１０に記録したくない条件を設定して、履歴の記録量を調整することが可能となる。また、紙詰まり等については、条件に設定せずに、通信履歴２１０に記録することで、必要な履歴を容易に確認することができる。
【００４９】
また、本発明の実施の形態に係る画像形成装置１は、通信は、ＩＰ−ＦＡＸであり、通信転送部１１０は、ＩＰ−ＦＡＸによる画像データを受信した後の転送ではなく、受信のセッションの確立時に中継する転送により、通信履歴２１０に履歴を記録しないようにすることを特徴とする。
このように構成することで、特定の送信元からの通信において、受信回数が閾値以上となった場合に、セッションの確立時に中継することによって、通信履歴２１０を記録する際の例外処理等を設定しなくても、通信履歴２１０を記録しないようにすることができる。また、従来の通信履歴２１０の記録のルールに対応しているため、セキュリティポリシィ等にも適合させることができる。
【００５０】
ここで、通信履歴２１０の蓄積を抑制するために単に受信しても通信履歴２１０を記録しないようにすると、ＦＡＸ通信において問題が起こった場合、その問題を証拠として確認できなくなる。
これに対して、本実施形態の画像形成装置１のように、受信させずに転送を中継することで、問題が生じた場合、転送先の他装置である画像形成装置３に記録された通信履歴等により、問題を確認することが可能となる。
【００５１】
〔他の実施の形態〕
なお、上述の実施の形態では、図５のフローチャートにおいて、転送条件設定２００を判断してから、受信回数を確認するように記載した。しかしながら、受信回数を確認してから、転送条件設定２００を判断することも可能である。
また、上述の実施の形態では、通信の受信回数は単純に増加させるように記載した。しかしながら、この受信回数は、特定の期間が経過した後で、減少させたり、リセット（０）させたりしてもよい。
また、上述の実施の形態では、送信元や通信の種類に対応して、閾値や受信回数を設定する例について記載した。しかしながら、閾値や受信回数は、送信元や通信の種類に関係なく設定されていてもよい。
また、本発明の実施の形態において、通信として、ＩＰ−ＦＡＸ受信及び転送を行う例について記載した。しかしながら、他の通信についても適用可能である。たとえば、ネットワークスキャン、プルプリント、メッセンジャーのメッセージや電子メールの受信及び転送等にも適用可能である。
このように構成することで、柔軟な構成に対応可能となる。
【００５２】
また、本発明は、画像形成装置以外の情報処理装置にも適用できる。つまり、ネットワークスキャナー、スキャナーをＵＳＢ等で別途接続したサーバー等を用いる構成であってもよい。
【００５３】
また、上記実施の形態の構成及び動作は例であって、本発明の趣旨を逸脱しない範囲で適宜変更して実行することができることは言うまでもない。
【符号の説明】
【００５４】
１、２、３  画像形成装置
４ａ、４ｂ  サーバー
５  ネットワーク
１０  制御部
１１  画像処理部
１２  原稿読取部
１３  原稿給送部
１４  給紙部
１５  ネットワーク送受信部
１６  操作パネル部
１７  画像形成部
１８  ＦＡＸ送受信部
１９  記憶部
１００  通信判断部
１１０  通信転送部
１２０  受信記録部
２００  転送条件設定
２１０  通信履歴
３００  画面例
Ｒ  ルーター
Ｘ  画像形成システム
【図１】
2020031273.tif 000003
【図２】
2020031273.tif 000004
【図３】
2020031273.tif 000005
【図４】
2020031273.tif 000006
【図５】
2020031273.tif 000007
【図６】
2020031273.tif 000008
【図７】
2020031273.tif 000009